(57)【要約】【課題】  多者同時通話サービスにおいてコールのオーディオエラーを防止できる移動通信端末機を利用した多者同時通話方法を提供する。【解決手段】  移動通信端末機を利用した多者同時通話方法は、第１使用者と第２使用者との通話中に第３使用者が第１使用者に呼を発信する過程と、第１使用者が第２使用者との通話をホールドし第３使用者からの呼を着信する過程と、第１使用者がマルチパーティーコールジョイン命令を転送すると第１使用者の移動通信端末機の内部にフラグを設定する過程と、この命令の成功メッセージを受信してから所定時間が経過する前に接続解除メッセージを受信すると、第１使用者と第３使用者との間の呼を解除してトーンを生成する過程と、第１使用者と第２使用者との通話がアクティブ状態になり第１使用者の移動通信端末機に接続解除イベントが送られると、フラグが設定されたか否かを判断する過程とを含む。【選択図】  図１
2006129458.tif 000002
【特許請求の範囲】
【請求項１】
移動通信端末機からネットワークにマルチパーティーコールジョインのための要求が転送されると、アクティブ状態の呼のオーディオパスを閉じる作業をスキップさせるフラグを移動通信端末機の内部に設定することを特徴とする多者同時通話方法。
【請求項２】
前記フラグは、
多者間の音声通話が行われると、所定時間の経過後に設定が解除されることを特徴とする請求項１に記載の多者同時通話方法。
【請求項３】
前記フラグは、
設定が解除される前（前記所定時間が経過する前）に、移動通信端末機のユーザーインターフェースに接続解除イベントが送られた場合、アクティブ状態の呼のオーディオパスを閉じる作業をスキップさせることを特徴とする請求項２に記載の多者同時通話方法。
【請求項４】
前記接続解除イベントは、
ネットワーク問題による接続解除であることをユーザーインターフェースに通知するためにトーンを生成するイベントであることを特徴とする請求項３に記載の多者同時通話方法。
【請求項５】
少なくとも１つの移動通信端末機との呼接続が行われている状態で、他の移動通信端末機を追加する多者同時通話のためにマルチパーティーコールジョイン命令が転送されると、前記命令を転送した移動通信端末機の内部にオーディオパスを閉じる作業をスキップさせるフラグを設定する段階と、
マルチパーティーコールジョインが成功したというメッセージを受信してから所定時間内にネットワーク問題による例外原因値を有する接続解除メッセージが前記移動通信端末機に受信されると、解除されずに残っている呼のオーディオパスを閉じる作業をスキップする段階と
から構成されることを特徴とする多者同時通話方法。
【請求項６】
前記フラグの設定は、
前記マルチパーティーコールジョインが成功したというメッセージを受信した後、所定時間が経過すると解除されることを特徴とする請求項５に記載の多者同時通話方法。
【請求項７】
少なくとも３人以上の多者間通話において、第１使用者と第２使用者との通話中に第３使用者が第１使用者に呼を発信する段階と、
第１使用者が第２使用者との通話をホールドし、第３使用者からの呼を着信する段階と、
第１使用者がマルチパーティーコールジョイン命令を転送すると、第１使用者の移動通信端末機の内部にアクティブ状態の呼のオーディオパスを閉じる作業をスキップさせるフラグを設定する段階と、
マルチパーティーコールジョインか成功したというメッセージを受信してから所定時間が経過する前に接続解除メッセージを受信すると、第１使用者と第３使用者との間の呼を解除してトーンを生成する段階と、
第１使用者と第２使用者との通話がアクティブ状態になり、第１使用者の移動通信端末機に接続解除イベントが送られると、オーディオパスを閉じる作業をスキップさせるフラグが設定されたか否かを判断する段階と、
前記判断結果により、前記フラグが設定されていると、残っている呼のオーディオパスを閉じる作業をスキップし、前記フラグが設定されていないと、残っている呼のオーディオパスを閉じる作業を行う段階と
から構成されることを特徴とする多者同時通話方法。
【請求項８】
前記接続解除メッセージは、
ネットワーク問題による例外原因値を有する接続解除メッセージであることを特徴とする請求項７に記載の多者同時通話方法。
【請求項９】
少なくとも３人以上の多者間通話において、
ネットワークにマルチパーティーコールジョインのための要求を転送すると、アクティブ状態の呼のオーディオパスを閉じる作業をスキップさせるフラグを内部に設定することを特徴とする多者同時通話可能な移動通信端末機。
【請求項１０】
前記移動通信端末機は、
前記マルチパーティーコールジョインか成功したというメッセージを受信してから所定時間が経過すると、前記設定されたフラグを解除することを特徴とする請求項９に記載の多者同時通話可能な移動通信端末機。
【請求項１１】
前記移動通信端末機は、
ネットワーク問題による例外原因値を有する接続解除メッセージを受信すると、前記フラグが設定されたか否かにより、前記フラグが設定されている場合は、残っている呼のオーディオパスを閉じる作業をスキップし、前記フラグが設定されていない場合は、残っている呼のオーディオパスを閉じる作業を行うことを特徴とする請求項９に記載の多者同時通話可能な移動通信端末機。
【請求項１２】
ネットワークと信号を交換する送受信部と、
少なくとも１つの移動通信端末機とのオーディオパス維持のためのフラグの設定に関連した情報を保存するメモリ部と、
前記少なくとも１つの移動通信端末機とのオーディオパスが含まれた呼接続が行われる間に他の移動通信端末機との多者同時通話のためのマルチパーティーコールジョイン命令を前記ネットワークに要求すると、前記フラグを設定する段階と、臨界時間内に前記他の移動通信端末機との呼接続を解除する接続解除メッセージを受信すると、前記フラグの設定によって、前記少なくとも１つの移動通信端末機とのオーディオパスを解除する過程をスキップする段階とを行う処理部と
から構成されることを特徴とする多者同時通話可能な移動通信端末機。
【請求項１３】
前記フラグは、
マルチパーティーコールジョインか成功したというメッセージを受信してから前記臨界時間が経過すると、設定が解除されることを特徴とする請求項１２に記載の多者同時通話可能な移動通信端末機。
【発明の詳細な説明】
【技術分野】
【０００１】
本発明は、移動通信端末機に関し、特に、移動通信端末機を利用した多者同時通話に関する。
【背景技術】
【０００２】
一般に、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）  ネットワークにおいて移動通信加入者は、移動通信端末機を利用して自分以外に最大５人の使用者と１つの通話チャネルで同時に通話できる多者同時通話サービスを利用することができる。この多者同時通話サービスは、マルチパーティーコール（Ｍｕｌｔｉｐａｒｔｙ  Ｃａｌｌ：  Ｍｐｔｙ  Ｃａｌｌ）といい、コンフェレンスコール（Ｃｏｎｆｅｒｅｎｃｅ  ｃａｌｌ）ともいう。
【０００３】
以下、図４を参照して前記のマルチパーティーコールを利用する方法を説明する。
【０００４】
図４は、従来の３者間のマルチパーティーコールの利用方法を示すフローチャートである。
【０００５】
図４に示すように、第１使用者が第２使用者と通話しているとき（Ｓ１１０）、第３使用者が第１使用者に電話をかける（Ｓ１２０）。第３使用者からの呼を着信した第１使用者は、第２使用者との通話に対して呼待機を設定し（Ｓ１３０）、第３使用者からの呼着信を受け入れる（Ｓ１４０）。第３使用者からの呼着信を受け入れた第１使用者は、ネットワークにマルチパーティーコールジョイン（Ｊｏｉｎ）命令をファシリティメッセージ（ｆａｃｉｌｉｔｙ  ｍｅｓｓａｇｅ）を利用して送る（Ｓ１５０）。前記ファシリティメッセージとは、通話中にネットワークに特定命令を伝達する伝達者役割をするメッセージである。その後、前記マルチパーティーコールジョイン命令を受信したネットワークから第１使用者の移動通信端末機にマルチパーティーコールジョインが成功したというファシリティメッセージが受信されると（Ｓ１６０）、第１使用者、第２使用者及び第３使用者間のマルチパーティーコール、すなわち、３者間の同時音声通話が可能になる（Ｓ１７０）。
【０００６】
すなわち、第１使用者と第２使用者との通話がアクティブ（Ａｃｔｉｖｅ）状態であるとき、第１使用者は、第３使用者から電話がきたという待機通話指示（ｗａｉｔｉｎｇ  ｃａｌｌ  ｉｎｄｉｃａｔｉｏｎ）を受ける。前記待機通話指示を受けた第１使用者は、「２＋Ｓｅｎｄ」命令を利用して第２使用者との通話をホールド（Ｈｏｌｄ）し、第３使用者からの呼を受け入れる。前記「２＋Ｓｅｎｄ」命令とは、ホールドアンドアクセプト（Ｈｏｌｄ  ａｎｄ  Ａｃｃｅｐｔ）、ホールドアンドリトリーブ（Ｈｏｌｄ  ａｎｄ  Ｒｅｔｒｉｅｖｅ）などの多様な動作のための命令であり、ここではホールドアンドアクセプトの機能を果たす。ここで、第１使用者と第２使用者との通話はホールド状態になり、第１使用者と第３使用者との通話はアクティブ状態になるため、第１使用者と第３使用者が音声通話可能になる。
【０００７】
その後、第１使用者は、ネットワークにファシリティメッセージを利用してマルチパーティーコールジョイン命令を転送する。ここで、前記ファシリティメッセージは、３ＧＰＰのコールスペック（Ｓｐｅｃ．）に定義されたものである。前記マルチパーティーコールジョイン命令を受信したネットワークから第１使用者にファシリティメッセージを転送し、この場合、第１使用者、第２使用者、第３使用者間の通話状態がアクティブマルチパーティー状態になるため、３者間の通話が可能になる。
【０００８】
図４のように行われる従来のマルチパーティーコールにおいて、第１使用者がネットワークからマルチパーティーコールジョインが成功したというファシリティメッセージ（ＭＰＴＹ  ＯＫ）を受信してから所定時間が経過した後は、第１使用者と第３使用者との接続に対して、ネットワークから一般の原因（ｃａｕｓｅ）値を有する接続解除メッセージ（Ｄｉｓｃｏｎｎｅｃｔ  ｍｅｓｓａｇｅ）を受信する場合であろうと、ネットワーク問題による例外原因値を有する接続解除メッセージを受信する場合であろうと、解除されるべき呼が正常に解除され、かつ残っているコールのオーディオには全く影響を与えない。
【０００９】
しかしながら、第１使用者がネットワークからマルチパーティーコールジョインが成功したというファシリティメッセージ（ＭＰＴＹ  ＯＫ）を受信した後、約２秒程度の所定時間が経過する前に、第１使用者と第３使用者との接続に対してネットワーク問題による例外原因値を有する接続解除メッセージが受信されると、残っているコール（第１使用者と第２使用者との接続）のオーディオパス（ｐａｔｈ）が閉じるエラーが発生する問題点が発見された。その原因は、図５を参照して説明する。
【００１０】
図５は、図４のように行われる一般の多者同時通話サービスのエンティティ（ｅｎｔｉｔｙ）構造を示す図である。
【００１１】
図５を参照すると、第１使用者がネットワークからマルチパーティーコールジョインが成功したというファシリティメッセージ（ＭＰＴＹ  ＯＫ）２３０を受信した後、所定時間が経過する前に、第１使用者と第３使用者との呼接続に対して  「ｔｅｍｐｏｒａｒｙ  ｆａｉｌｕｒｅ」のような例外原因値を有する接続解除メッセージ２４０を受信すると、移動通信端末機の呼制御（Ｃａｌｌ  Ｃｏｎｔｒｏｌ：  ＣＣ）エンティティ２００は、ファシリティメッセージ２３０及び接続解除メッセージ２４０をそれぞれ受け取る。ファシリティメッセージ２３０は、付加サービス（Ｓｕｐｐｌｅｍｅｎｔａｒｙ  Ｓｅｒｖｉｃｅ：  ＳＳ）エンティティ２１０に送られて復号化（Ｄｅｃｏｄｉｎｇ）過程を経た後、上位エンティティ２２０に送られるが、接続解除メッセージ２４０は、呼制御エンティティ２００から直ちに上位エンティティ２２０に送られる。従って、上位エンティティ２２０では、ファシリティメッセージ２３０に対する処理より接続解除メッセージ２４０に対する処理を先に実行し、結局、第１使用者と第３使用者間の通話接続が解除される。
【００１２】
一方、上位エンティティ２２０は、ネットワーク問題による接続解除であることを通知するために、所定時間のタイマーを作動させるトーンを生成し、該トーンの生成が終わった後に接続解除イベントをＵＩ（ｕｓｅｒ  ｉｎｔｅｒｆａｃｅ）レベルに送る。前記上位エンティティ２２０が前記トーンを生成する間にファシリティメッセージ２３０を受け取ってマルチパーティーコールジョイン要求に対する結果処理を実行すると、ホールドされていた第１使用者と第２使用者との接続がアクティブ状態に変化してオーディオパスが開き、音声通話が可能になる。しかしながら、トーン発生に対するタイマー動作が終了して接続解除イベントがＵＩレベルに送られる時点になると、第１使用者と第２使用者間のオーディオパスが閉じて音声通話が不可能になる。
【発明の開示】
【発明が解決しようとする課題】
【００１３】
本発明の目的は、多者同時通話サービスにおいてコールのオーディオエラーを防止できる移動通信端末機及び前記移動通信端末機を利用した多者同時通話方法を提供することにある。
【課題を解決するための手段】
【００１４】
このような目的を達成するために本発明に係る移動通信端末機を利用した多者同時通話方法は、第１使用者と第２使用者との通話中に第３使用者が第１使用者に呼を発信する過程と、第１使用者が第２使用者との通話をホールドし、第３使用者からの呼を着信する過程と、第１使用者がマルチパーティーコールジョイン命令を転送すると、第１使用者の移動通信端末機の内部にフラグを設定する過程と、マルチパーティーコールジョインが成功したというメッセージ（マルチパーティーコールジョイン承認メッセージ）を受信してから所定時間が経過する前に接続解除メッセージを受信すると、第１使用者と第３使用者との間の呼を解除してトーンを生成する過程と、第１使用者と第２使用者との通話がアクティブ状態になり、第１使用者の移動通信端末機に接続解除イベントが送られると、フラグが設定されたか否かを判断する過程と、前記判断結果により、残っている呼のオーディオパスを閉じる作業を制御する過程とからなることを特徴とする。
【００１５】
好ましくは、前記接続解除メッセージは、ネットワーク問題による例外原因値を有する接続解除メッセージである。
【００１６】
好ましくは、前記判断の結果、フラグが設定されていると、残っている呼のオーディオパスを閉じる作業をスキップする。
【００１７】
本発明により以下が提供される：
項目１．
移動通信端末機からネットワークにマルチパーティーコールジョインのための要求が転送されると、アクティブ状態の呼のオーディオパスを閉じる作業をスキップさせるフラグを移動通信端末機の内部に設定することを特徴とする多者同時通話方法。
【００１８】
項目２．
前記フラグは、
多者間の音声通話が行われると、所定時間の経過後に設定が解除されることを特徴とする項目１に記載の多者同時通話方法。
【００１９】
項目３．
前記フラグは、
設定が解除される前（前記所定時間が経過する前）に、移動通信端末機のユーザーインターフェースに接続解除イベントが送られた場合、アクティブ状態の呼のオーディオパスを閉じる作業をスキップさせることを特徴とする項目２に記載の多者同時通話方法。
【００２０】
項目４．
前記接続解除イベントは、
ネットワーク問題による接続解除であることをユーザーインターフェースに通知するためにトーンを生成するイベントであることを特徴とする項目３に記載の多者同時通話方法。
【００２１】
項目５．
少なくとも１つの移動通信端末機との呼接続が行われている状態で、他の移動通信端末機を追加する多者同時通話のためにマルチパーティーコールジョイン命令が転送されると、前記命令を転送した移動通信端末機の内部にオーディオパスを閉じる作業をスキップさせるフラグを設定する段階と、
マルチパーティーコールジョインが成功したというメッセージを受信してから所定時間内にネットワーク問題による例外原因値を有する接続解除メッセージが前記移動通信端末機に受信されると、解除されずに残っている呼のオーディオパスを閉じる作業をスキップする段階と
から構成されることを特徴とする多者同時通話方法。
【００２２】
項目６．
前記フラグの設定は、
前記マルチパーティーコールジョインが成功したというメッセージを受信した後、所定時間が経過すると解除されることを特徴とする項目５に記載の多者同時通話方法。
【００２３】
項目７．
少なくとも３人以上の多者間通話において、第１使用者と第２使用者との通話中に第３使用者が第１使用者に呼を発信する段階と、
第１使用者が第２使用者との通話をホールドし、第３使用者からの呼を着信する段階と、
第１使用者がマルチパーティーコールジョイン命令を転送すると、第１使用者の移動通信端末機の内部にアクティブ状態の呼のオーディオパスを閉じる作業をスキップさせるフラグを設定する段階と、
マルチパーティーコールジョインか成功したというメッセージを受信してから所定時間が経過する前に接続解除メッセージを受信すると、第１使用者と第３使用者との間の呼を解除してトーンを生成する段階と、
第１使用者と第２使用者との通話がアクティブ状態になり、第１使用者の移動通信端末機に接続解除イベントが送られると、オーディオパスを閉じる作業をスキップさせるフラグが設定されたか否かを判断する段階と、
前記判断結果により、前記フラグが設定されていると、残っている呼のオーディオパスを閉じる作業をスキップし、前記フラグが設定されていないと、残っている呼のオーディオパスを閉じる作業を行う段階と
から構成されることを特徴とする多者同時通話方法。
【００２４】
項目８．
前記接続解除メッセージは、
ネットワーク問題による例外原因値を有する接続解除メッセージであることを特徴とする項目７に記載の多者同時通話方法。
【００２５】
項目９．
少なくとも３人以上の多者間通話において、
ネットワークにマルチパーティーコールジョインのための要求を転送すると、アクティブ状態の呼のオーディオパスを閉じる作業をスキップさせるフラグを内部に設定することを特徴とする多者同時通話可能な移動通信端末機。
【００２６】
項目１０．
前記移動通信端末機は、
前記マルチパーティーコールジョインか成功したというメッセージを受信してから所定時間が経過すると、前記設定されたフラグを解除することを特徴とする項目９に記載の多者同時通話可能な移動通信端末機。
【００２７】
項目１１．
前記移動通信端末機は、
ネットワーク問題による例外原因値を有する接続解除メッセージを受信すると、前記フラグが設定されたか否かにより、前記フラグが設定されている場合は、残っている呼のオーディオパスを閉じる作業をスキップし、前記フラグが設定されていない場合は、残っている呼のオーディオパスを閉じる作業を行うことを特徴とする項目９に記載の多者同時通話可能な移動通信端末機。
【００２８】
項目１２．
ネットワークと信号を交換する送受信部と、
少なくとも１つの移動通信端末機とのオーディオパス維持のためのフラグの設定に関連した情報を保存するメモリ部と、
前記少なくとも１つの移動通信端末機とのオーディオパスが含まれた呼接続が行われる間に他の移動通信端末機との多者同時通話のためのマルチパーティーコールジョイン命令を前記ネットワークに要求すると、前記フラグを設定する段階と、臨界時間内に前記他の移動通信端末機との呼接続を解除する接続解除メッセージを受信すると、前記フラグの設定によって、前記少なくとも１つの移動通信端末機とのオーディオパスを解除する過程をスキップする段階とを行う処理部と
から構成されることを特徴とする多者同時通話可能な移動通信端末機。
【００２９】
項目１３．
前記フラグは、
マルチパーティーコールジョインか成功したというメッセージを受信してから前記臨界時間が経過すると、設定が解除されることを特徴とする項目１２に記載の多者同時通話可能な移動通信端末機。
【発明の効果】
【００３０】
本発明に係る多者同時通話方法及び移動通信端末機は、マルチパーティーコールジョインが成功したというファシリティメッセージ（ＭＰＴＹ  ＯＫ）を受信してから所定時間が経過する前に、ネットワーク問題による例外原因値を有する接続解除メッセージを受信した場合、残っているコールのオーディオパスが閉じるエラーが発生することを防止できるという効果がある。
【００３１】
また、本発明は、呼が接続した状態でオーディオパスのみが閉じることを防止することにより、無線資源の浪費を防止できるという効果がある。
【発明を実施するための最良の形態】
【００３２】
本発明は、従来の問題点を解決するために、マルチパーティーコールジョイン命令が要求されたとき、移動通信端末機の内部にフラグ（ｆｌａｇ）を設定してトーン発生の前後にオーディオパスを閉じる作業をスキップ（ｓｋｉｐ）するようにする。
【００３３】
以下、図面を参照して本発明の望ましい実施形態を説明する。
【００３４】
図１は、本発明に係る移動通信端末機を利用した多者同時通話方法の実現過程を示すフローチャートである。
【００３５】
図１を参照すると、第１使用者が第２使用者と通話しているとき（Ｓ３１０）、第３使用者が第１使用者に電話をかける（Ｓ３２０）。第３使用者からの呼を着信した第１使用者は、第２使用者との通話に対して呼待機（ホールド）を設定し（Ｓ３３０）、第３使用者からの呼着信を受け入れる（Ｓ３４０）。第３使用者からの呼着信を受け入れた第１使用者は、ファシリティメッセージを利用してマルチパーティーコールジョイン命令をネットワークに転送する（Ｓ３５０）。前記マルチパーティーコールジョイン命令が要求されると、第１使用者の移動通信端末機は、その内部に残っている呼のオーディオパスを閉じる作業をスキップさせるフラグを設定する（Ｓ３６０）。前記マルチパーティーコールジョイン命令を受信したネットワークから第１使用者の移動通信端末機にマルチパーティーコールジョインが成功したというファシリティメッセージが受信されると（Ｓ３７０）、第１使用者、第２使用者及び第３使用者間のマルチパーティーコール、すなわち、３者間の同時音声通話が可能になる（Ｓ３８０）。前記３者間の音声通話が行われると、所定時間経過後、前記フラグの設定を解除する（Ｓ３９０）。
【００３６】
前記フラグの設定は、第１使用者と第３使用者間の呼接続が異常に終了した場合、接続解除イベントによる第１使用者と第２使用者間のオーディオパスを閉じる作業をスキップするためである。
【００３７】
図２は、マルチパーティーコールジョインが成功したというファシリティメッセージ（ＭＰＴＹ  ＯＫ）を受信してから所定時間が経過する前に、ネットワーク問題による例外原因値を有する接続解除メッセージを受信した場合に発生するエラーに対する本発明の適用を示すフローチャートである。
【００３８】
図２を参照すると、第１使用者が第２使用者と通話しているとき（Ｓ４１２）、第３使用者が第１使用者に電話をかける（Ｓ４１４）。第３使用者からの呼を着信した第１使用者は、第２使用者との通話に対して呼待機を設定し（Ｓ４１６）、第３使用者からの呼着信を受け入れる（Ｓ４１８）。第３使用者からの呼着信を受け入れた第１使用者は、ファシリティメッセージを利用してマルチパーティーコールジョイン命令をネットワークに転送する（Ｓ４２０）。前記マルチパーティーコールジョイン命令が要求されると、第１使用者の移動通信端末機の内部にフラグを設定する（Ｓ４２２）。前記マルチパーティーコールジョイン命令を受信したネットワークから第１使用者の移動通信端末機にマルチパーティーコールジョインが成功したというファシリティメッセージが受信されてから所定時間が経過する前に、第１使用者と第３使用者間の呼接続に対して例外原因値を有する接続解除メッセージが受信される（Ｓ４２４）。
【００３９】
前述したように、上位エンティティでは、ファシリティメッセージに対する処理より接続解除メッセージに対する処理を先に行うため、結局、第１使用者と第３使用者間の通話接続が解除される（Ｓ４２６）。
【００４０】
また、前述したように、前記上位エンティティは、ネットワーク問題による接続解除であることを通知するために所定時間のタイマーを作動させるトーンを生成する（Ｓ４２８）。
【００４１】
前記上位エンティティが前記トーン生成を行う間にファシリティメッセージを受け取ってマルチパーティーコールジョイン要求に対する結果処理を行うと、ホールドされていた第１使用者と第２使用者との接続がアクティブ状態に変化してオーディオパスが開き、音声通話が可能になる（Ｓ４３０）。
【００４２】
その後、トーン生成に対するタイマー動作が終了すると、前記上位エンティティは、接続解除イベントをＵＩレベルに送る（Ｓ４３２）。ここで、移動通信端末機は、フラグが設定されているか否かを判断し（Ｓ４３４）、判断の結果、フラグが設定されていると、オーディオパスを閉じる作業をスキップする（Ｓ４３６）。
【００４３】
予め移動通信端末機の内部にフラグが設定されているので、オーディオパスは閉じられない。
【００４４】
図３は、本発明に係る多者同時通話可能な移動通信端末機の一実施形態の構成を示す図である。
【００４５】
図３に示すように、多者同時通話可能な移動通信端末機５００は、ネットワークと信号を交換する送受信部５１０と、少なくとも１つの移動通信端末機とのオーディオパス維持のためのフラグの設定と関連した情報を保存するメモリ部５２０と、  前記少なくとも１つの移動通信端末機とのオーディオパスが含まれた呼接続が行われる間に、他の移動通信端末機との多者同時通話のためのマルチパーティーコールジョイン命令を前記ネットワークに要求すると、前記フラグを設定する過程を行う処理部５３０とから構成される。
【００４６】
さらに、処理部５３０は、臨界時間内に前記他の移動通信端末機との呼接続を解除する接続解除メッセージを受信すると、前記フラグの設定によって前記少なくとも１つの移動通信端末機とのオーディオパスを解除する段階を省略（スキップ）する。
【００４７】
前記接続解除メッセージは、ネットワーク問題のような例外原因による接続解除であることを通知するためのトーンを生成するためのメッセージである。前記トーンの生成が終了した後、接続解除イベントがディスプレイやスピーカーのようなユーザーインターフェース部（図示せず）に送られると、前記処理部は、前記フラグが設定されているか否かを判断し、判断の結果、前記フラグが設定されていると、前記少なくとも１つの移動通信端末機とのオーディオパスを閉じる作業をスキップする。すなわち、前記少なくとも１つの移動通信端末機とのオーディオパスを維持し続ける。
【００４８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００４９】
【図１】本発明に係る移動通信端末機を利用した多者同時通話方法の実現過程を示すフローチャートである。
【図２】マルチパーティーコールジョインが成功したというファシリティメッセージ（ＭＰＴＹ  ＯＫ）を受信した後、所定時間が経過する前に、ネットワーク問題による例外原因値を有する接続解除メッセージを受信した場合に発生するエラーに対する本発明の適用を示すフローチャートである。
【図３】本発明に係る多者同時通話可能な移動通信端末機の一実施形態の構成を示す図である。
【図４】従来の３者間のマルチパーティーコールの利用方法を示すフローチャートである。
【図５】図４のように行われる一般の多者同時通話サービスのエンティティ構造を示す図である。
【符号の説明】
【００５０】
２００：呼制御エンティティ
２１０：付加サービスエンティティ
２２０：上位エンティティ
２３０：ファシリティメッセージ
２４０：接続解除メッセージ
５００：移動通信端末機
５１０：転送部
５２０：メモリ部
５３０：処理部
【図１】
2006129458.tif 000003
【図２】
2006129458.tif 000004
【図３】
2006129458.tif 000005
【図４】
2006129458.tif 000006
【図５】
2006129458.tif 000007